(57)【要約】【課題】  機体の安定性や予備苗載置台に対する予備苗移載作業性の低下などを効果的に抑制しながら、より多くの予備苗を予備苗載置機構に載置できるようにして、植え付け作業効率の向上を図れるようにする。【解決手段】  走行機体１に対する予備苗支持フレーム２５の前後移動で、上下方向に整列した状態で複数の予備苗載置台２６が所定の退避位置に位置する退避状態と、その退避位置よりも予備苗移載作業箇所に近い移載位置に位置する移載状態とに切り換え可能に構成された予備苗載置機構２４を立設装備し、予備苗載置機構２４に、予備苗支持フレーム２５の機体横内方側に配置される予備苗載置台２７を、機体横外方側の予備苗載置台２６と同様に、予備苗載置機構２４の退避状態では退避位置に位置し、予備苗載置機構２４の移載状態では移載位置に位置するように設けた。【選択図】        図２
2005151903.tif 000002
【特許請求の範囲】
【請求項１】
走行機体に前後移動可能に装備される予備苗支持フレームと、上下方向に所定間隔を隔てて整列する状態で前記予備苗支持フレームの機体横外方側に配置される複数の予備苗載置台とを備え、前記予備苗支持フレームの前後移動で、複数の前記予備苗載置台が上下方向に整列した状態で所定の退避位置に位置する退避状態と、複数の前記予備苗載置台が上下方向に整列した状態で前記退避位置よりも予備苗移載作業箇所に近い移載位置に位置する移載状態とに切り換え可能に構成された予備苗載置機構を立設装備してある乗用型田植機の予備苗載置構造であって、
前記予備苗載置機構に、前記予備苗支持フレームの機体横内方側に配置される予備苗載置台を設け、機体横内方側の前記予備苗載置台が、機体横外方側の前記予備苗載置台と同様に、前記予備苗載置機構の前記退避状態では前記退避位置に位置し、前記予備苗載置機構の前記移載状態では前記移載位置に位置するように構成してある乗用型田植機の予備苗載置構造。
【請求項２】
前記予備苗支持フレームは、前後方向に起伏揺動可能に立設される支柱と、その上端部に枢支連結される予備苗載置台支持用の支持部材とを備え、この支持部材の前記支柱に対する相対前後揺動で複数の前記予備苗載置台が上下方向に整列する状態を維持するように構成してある請求項１に記載の乗用型田植機の予備苗載置構造。
【請求項３】
機体横内方側の前記予備苗載置台を、前記支柱と前記支持部材との枢支連結点よりも上方の位置に配備してある請求項２に記載の乗用型田植機の予備苗載置構造。
【請求項４】
機体横外方側の前記予備苗載置台を、前記枢支連結点よりも上方の位置にも配備してある請求項２又は３に記載の乗用型田植機の予備苗載置構造。
【請求項５】
前記予備苗支持フレームに、機体横外方側の前記予備苗載置台を支持する第１支持部材と、機体横内方側の前記予備苗載置台を支持する第２支持部材とを装備してある請求項１〜４のいずれか一つに記載の乗用型田植機の予備苗載置構造。
【請求項６】
前記支持部材に、機体前方に向けて延出する把持部を装備してある請求項２〜５のいずれか一つに記載の乗用型田植機の予備苗載置構造。
【発明の詳細な説明】
【技術分野】
【０００１】
本発明は、走行機体に前後移動可能に装備される予備苗支持フレームと、上下方向に所定間隔を隔てて整列する状態で前記予備苗支持フレームの機体横外方側に配置される複数の予備苗載置台とを備え、前記予備苗支持フレームの前後移動で、複数の前記予備苗載置台が上下方向に整列した状態で所定の退避位置に位置する退避状態と、複数の前記予備苗載置台が上下方向に整列した状態で前記退避位置よりも予備苗移載作業箇所に近い移載位置に位置する移載状態とに切り換え可能に構成された予備苗載置機構を立設装備してある乗用型田植機の予備苗載置構造に関する。
【背景技術】
【０００２】
上記のような乗用型田植機の予備苗載置構造では、予備苗載置機構を退避状態から移載状態に切り換えることで、複数の予備苗載置台を上下方向に整列させた状態で予備苗移載作業箇所に近づけることができ、その結果、予備苗移載作業箇所での各予備苗載置台に対する予備苗移載作業を一律に容易に行える。
【０００３】
ところで、予備苗載置機構は、搭乗運転部に対する機体前方からの乗降を可能にする乗降ステップの横外方箇所に立設配備されている。そのため、従来の予備苗載置機構においては、複数の予備苗載置台を予備苗支持フレームの機体横外方側にのみ配備して、乗降ステップ上の乗降領域を確保するようにしていた（例えば特許文献１参照）。
【特許文献１】特開２００３−１８９７１４号公報（段落番号００２６〜００３１、図１〜６）
【発明の開示】
【発明が解決しようとする課題】
【０００４】
近年の乗用型田植機では、植え付け作業の効率を向上させるために、植え付け速度の高速化や植え付け条数の多条化などが図られた苗植付装置を採用することが多く、それに伴って苗の消費が速くなることから、より多くの予備苗を載置できる予備苗載置機構を装備する必要がある。
【０００５】
しかしながら、上述した従来構造の予備苗載置機構においてより多くの予備苗を載置するには、予備苗支持フレームを上方に延長して予備苗載置台を増設するしかなく、そのため、予備苗載置機構の重心が高くなって予備苗載置機構の切り換え操作が行い難くなる、予備苗載置機構の重心とともに機体の重心が高くなって機体の安定性が低下する、あるいは、上方側の予備苗載置台が高くなり過ぎて、その上方側の予備苗載置台に対する予備苗の移載が行い難くなる、などの不都合が生じるようになる。
【０００６】
本発明の目的は、機体の安定性や予備苗載置台に対する予備苗移載作業性の低下などを効果的に抑制しながら、より多くの予備苗を予備苗載置機構に載置できるようにして、植え付け作業効率の向上を図れるようにすることにある。
【課題を解決するための手段】
【０００７】
上記の課題を解決するための手段として、本発明では、走行機体に前後移動可能に装備される予備苗支持フレームと、上下方向に所定間隔を隔てて整列する状態で前記予備苗支持フレームの機体横外方側に配置される複数の予備苗載置台とを備え、前記予備苗支持フレームの前後移動で、複数の前記予備苗載置台が上下方向に整列した状態で所定の退避位置に位置する退避状態と、複数の前記予備苗載置台が上下方向に整列した状態で前記退避位置よりも予備苗移載作業箇所に近い移載位置に位置する移載状態とに切り換え可能に構成された予備苗載置機構を立設装備してある乗用型田植機の予備苗載置構造において、前記予備苗載置機構に、前記予備苗支持フレームの機体横内方側に配置される予備苗載置台を設け、機体横内方側の前記予備苗載置台が、機体横外方側の前記予備苗載置台と同様に、前記予備苗載置機構の前記退避状態では前記退避位置に位置し、前記予備苗載置機構の前記移載状態では前記移載位置に位置するように構成してある。
【０００８】
つまり、この構成では、予備苗支持フレームの機体横内方側を予備苗載置台の増設箇所に有効利用するのであり、これによって、予備苗支持フレームを上方に延長しなくても、予備苗支持フレームの機体横内方側に増設する予備苗載置台の数量に応じて予備苗載置機構に載置する予備苗の数量を多くすることができ、予備苗補給のために植え付け作業を中断して機体を畦際まで移動させる回数を減らすことができる。
【０００９】
又、予備苗支持フレームの機体横内方側に予備苗載置台を増設することによって、予備苗支持フレームを上方に延長して予備苗載置台を増設する場合に比較して、予備苗載置機構の重心が低くなることから、予備苗載置機構の切り換え操作が行い易くなるとともに、予備苗載置機構の重心が高くなることに起因した機体の安定性の低下が抑制され、又、上方側の予備苗載置台の高さ位置が低くなることから、上方側の予備苗載置台に対する予備苗の移載が行い易くなり、更に、予備苗支持フレームにかかる荷重が小さくなることから、予備苗支持フレームの耐久性が向上する。
【００１０】
しかも、機体横内方側の予備苗載置台は、予備苗載置機構を退避状態から移載状態に切り換えると、機体横外方側の予備苗載置台とともに予備苗移載作業箇所に近づくことから、機体横内方側の予備苗載置台に対する予備苗の移載も、機体横外方側の予備苗載置台に対する予備苗の移載と同様に行い易くなる。
【００１１】
従って、予備苗載置機構の操作性、機体の安定性、予備苗載置台に対する予備苗移載作業性、及び、予備苗支持フレームの耐久性の低下を効果的に抑制しながら、植え付け作業効率の向上を図れる。
【００１２】
本発明をより好適なものにするための手段の一つとして、前記予備苗支持フレームは、前後方向に起伏揺動可能に立設される支柱と、その上端部に枢支連結される予備苗載置台支持用の支持部材とを備え、この支持部材の前記支柱に対する相対前後揺動で複数の前記予備苗載置台が上下方向に整列する状態を維持するように構成してある。
【００１３】
この構成によると、支柱の下端部を支点にした揺動操作で、複数の予備苗載置台を上下方向に整列させた状態で退避位置と移載位置とにわたって簡単かつスムーズに変位させることができる。
【００１４】
これに対し、例えば、予備苗支持フレームの前後方向への摺動操作で、複数の予備苗載置台を上下方向に整列させた状態で退避位置と移載位置とにわたって変位させるように構成する場合には、少なくとも予備苗支持フレームの下部を前後摺動可能に支持する比較的に構造が複雑な摺動案内機構を装備する必要があり、又、この摺動案内機構だけでは、拗れに起因した摺動不良を招き易くなることから、予備苗支持フレームの上部側を前後方向に摺動案内するガイド部材なども装備する必要があり、そのため、操作性の面で不利になるとともに構造の複雑化を招くことになる。
【００１５】
又、予備苗移載作業箇所の高さ位置が低い場合には、支柱を傾斜させた状態を予備苗載置機構の移載状態に設定し、逆に、予備苗移載作業箇所の高さ位置が高い場合には、支柱を起立させた状態を予備苗載置機構の移載状態に設定すれば、予備苗載置台に対する予備苗移載作業時には、予備苗載置台を予備苗移載作業箇所に近づけるだけでなく高さ位置を合わせることができる。
【００１６】
従って、構造の簡素化を図りながら、予備苗載置機構の操作性や予備苗載置台に対する予備苗移載作業性を更に向上させることができる。
【００１７】
本発明をより好適なものにするための手段の一つとして、機体横内方側の前記予備苗載置台を、前記支柱と前記支持部材との枢支連結点よりも上方の位置に配備してある。
【００１８】
この構成によると、予備苗載置機構を、搭乗運転部に対する機体前方からの乗降を可能にする乗降ステップの横外方箇所に立設配備した場合に、予備苗載置機構における支柱の機体横内方側で、機体横内方側の予備苗載置台よりも下方の領域を、乗降領域に有効利用することができ、その分、機体横幅方向での予備苗載置機構の張り出し量が小さくなる。
【００１９】
つまり、予備苗支持フレームの機体横内方側を予備苗載置台の増設箇所に有効利用し、かつ、搭乗運転部に対する機体前方からの乗降を可能にする乗降領域を確保しながらも、機体横幅方向での予備苗載置機構の張り出しを抑制できるのであり、結果、田植機全体としての大型化を抑制しながら植え付け作業効率や乗降性の向上を図れる。
【００２０】
本発明をより好適なものにするための手段の一つとして、機体横外方側の前記予備苗載置台を、前記枢支連結点よりも上方の位置にも配備してある。
【００２１】
この構成によると、予備苗載置機構における支柱と支持部材との枢支連結点よりも上方の機体横内方側と機体横外方側の双方を予備苗載置台の増設箇所に有効利用するのであり、これによって、それらのいずれか一方のみを予備苗載置台の増設箇所に利用する場合に比較して、予備苗載置機構としての全体高さを低く抑えながら予備苗載置機構に載置する予備苗の数量を更に多くすることができる。
【００２２】
従って、予備苗載置機構としての全体高さが高くなることによる予備苗載置機構の操作性、機体の安定性、予備苗載置台に対する予備苗移載作業性、及び、予備苗支持フレームの耐久性の低下を抑制しながら、植え付け作業効率の向上を更に図れる。
【００２３】
本発明をより好適なものにするための手段の一つとして、前記予備苗支持フレームに、機体横外方側の前記予備苗載置台を支持する第１支持部材と、機体横内方側の前記予備苗載置台を支持する第２支持部材とを装備してある。
【００２４】
この構成によると、第２支持部材の着脱によって、予備苗載置機構を、その機体横内方側に予備苗載置台を増設する仕様と増設しない仕様とに簡単に仕様変更できる。
【００２５】
又、第２支持部材として、予備苗載置機構における機体横内方側の全域に予備苗載置台を増設するものと、予備苗載置機構における支柱と支持部材との枢支連結点よりも上方の機体横内方側に予備苗載置台を増設するものとを用意すれば、植え付け作業効率の向上を優先する仕様と、植え付け作業効率の向上と乗降性の向上とを両立させる仕様とに簡単に仕様変更でき、更に、第１支持部材及び第２支持部材として、予備苗載置機構における支柱と支持部材との枢支連結点よりも上方の箇所にも予備苗載置台を備えるものを用意すれば、植え付け作業効率を更に向上させる仕様に簡単に仕様変更できる。
【００２６】
従って、予備苗載置機構を目的に応じた仕様変更を簡単に行える汎用性に優れたものにできる。
【００２７】
本発明をより好適なものにするための手段の一つとして、前記支持部材に、機体前方に向けて延出する把持部を装備してある。
【００２８】
通常、予備苗移載作業箇所から各予備苗載置台への予備苗補給が行われた後の予備苗載置機構の移載状態から退避状態への切り換えは、田植機側の作業者による予備苗載置機構の引っ張り操作で行うのであるが、予備苗補給後は予備苗載置機構が重くなるため、特に支柱の傾斜姿勢から起立姿勢への揺動操作で予備苗載置機構を移載状態から退避状態に切り換える場合には、その切り換え操作が行い難くなることがある。
【００２９】
そこで、機体前方に向けて延出する把持部を支持部材に装備するのであり、これによって、田植機側の作業者による引っ張り操作で予備苗載置機構を移載状態から退避状態に切り換えることが困難な場合には、その把持部を利用すれば、予備苗移載作業箇所側の補助作業者による補助を簡単に得られるようになり、予備苗載置機構の移載状態から退避状態への切り換えをスムーズに行える。
【００３０】
又、支持部材に把持部を装備することで、支柱の揺動操作で予備苗載置機構の状態切り換えを行うように構成した場合であっても、支柱の揺動操作にかかわらず予備苗移載作業箇所側の補助作業者に対する把持部の姿勢が一定に維持されることから、予備苗移載作業箇所側の補助作業者による補助が行い易くなる。
【００３１】
従って、予備苗載置機構の操作性を更に向上させることができる。
【発明を実施するための最良の形態】
【００３２】
図１には乗用型田植機の全体側面が示されており、この田植機は、乗用型に形成された走行機体１の後部に、油圧式のリフトシリンダ２の作動で昇降揺動するリンク機構３を介して、苗植付装置４を駆動昇降可能に連結して構成されている。
【００３３】
走行機体１は、その前部に配備された前部フレーム５に支持されたエンジン６からの動力を、静油圧式無段変速装置７やギヤ式変速装置８などを介して、左右の前輪９及び後輪１０に伝達する四輪駆動型に構成され、その中央部には、左右の前輪９を操向するステアリングホイール１１や運転座席１２などを備えるとともに搭乗ステップ１３が敷設された搭乗運転部１４が形成され、その左右両側部には、搭乗領域を拡張する補助ステップ１５が配備されている。
【００３４】
苗植付装置４は、機体の走行に伴って複数の整地フロート１６が苗植え付け箇所を前もって整地する一方で、ギヤ式変速装置８からの作業用動力が動力分配機構１７に伝達され、その動力分配機構１７からの動力で、マット状の植付苗を載置する苗載台１８が左右方向に一定ストロークで往復駆動され、かつ、複数のロータリ式の植付機構１９が、苗載台１８の下端から苗を所定量ずつ切り出して圃場に植え付ける植え付け作動を行うように構成されている。
【００３５】
図１〜４に示すように、走行機体１におけるエンジン６の左右両側部には、搭乗運転部１４に対する機体前方からの乗降を可能にする乗降ステップ２０が敷設され、これらの乗降ステップ２０は、補助ステップ１５とともに、前部フレーム５から左右の横外方側に向けて延設された支持フレーム２１などによって支持されている。
【００３６】
左右の各支持フレーム２１は、前部フレーム５から横外側上方に向けて延出する前フレーム部２１Ａと、前フレーム部２１Ａの延出端から後方に向かう中間フレーム部２１Ｂと、中間フレーム部２１Ｂの後端から走行機体１に向かう後フレーム部２１Ｃとを有するように形成され、後フレーム部２１Ｃが、左右の前車軸ケース２２に支持ブラケット２３を介して支持されている。
【００３７】
左右の各乗降ステップ２０の横外方箇所には予備苗載置機構２４が立設配備されている。左右の各予備苗載置機構２４は、走行機体１に前後移動可能に装備される予備苗支持フレーム２５、上下方向に所定間隔を隔てて整列する状態で予備苗支持フレーム２５の機体横外方側に配置される複数の予備苗載置台２６、及び、上下方向に所定間隔を隔てて整列する状態で予備苗支持フレーム２５の機体横内方側に配置される複数の予備苗載置台２７、などを備え、予備苗支持フレーム２５の前後移動で、機体横外方側の各予備苗載置台２６と機体横内方側の各予備苗載置台２７とがそれぞれ上下方向に整列した状態で走行機体１上の所定の退避位置に位置する退避状態と、機体横外方側の各予備苗載置台２６と機体横内方側の各予備苗載置台２７とがそれぞれ上下方向に整列した状態で退避位置よりも予備苗移載作業箇所の一例である畦に近い機体前方側の移載位置に位置する移載状態とに切り換え可能に構成されている。
【００３８】
左右の各予備苗支持フレーム２５は、前後方向に起伏揺動可能に立設される支柱２８としての前後の支柱２９，３０と、それらの上端部に枢支連結されるとともに予備苗載置台２６，２７を片持ち支持する支持部材３１としての左右の支持部材３２，３３とを備え、前後の支柱２９，３０の起伏揺動操作で前後移動し、前後の支柱２９，３０に対する左右の支持部材３２，３３の相対前後揺動で、機体横外方側の各予備苗載置台２６と機体横内方側の各予備苗載置台２７とがそれぞれ上下方向に整列する状態を維持するように構成されている。
【００３９】
左右の支持部材３２，３３のうち、前後の支柱２９，３０の機体外方側に配置される支持部材３２が、機体横外方側の各予備苗載置台２６を支持する第１支持部材であり、前後の支柱２９，３０の機体内方側に配置される支持部材３３が、機体横内方側の各予備苗載置台２７を支持する第２支持部材である。
【００４０】
前側の支柱２９は、その下端部に固定装備したブラケット２９Ａが、左右の各支持フレーム２１における前フレーム部２１Ａの延出途中箇所に立設した第１ブラケット２１Ｄに前後方向への起伏揺動が可能となるように連結され、後側の支柱３０は、その下端部に固定装備したブラケット３０Ａが、左右の各支持フレーム２１における中間フレーム部２１Ｂの後端箇所に立設した第２ブラケット２１Ｅに前後方向への起伏揺動が可能となるように連結されている。そして、各支持部材３２，３３に隣接する前後の支柱２９，３０の上部側が機体左右方向で一致する位置に配置されるように、前側の支柱２９は、その下端側が第１ブラケット２１Ｄから機体横外方に向かう状態に屈曲形成されている。
【００４１】
前後の各支柱２９，３０の上端部には、第１支持部材３２の上端部に装備した前後の各支軸３２Ａを相対回動可能に枢支する第１ボス２９Ｂ，３０Ｂと、第２支持部材３３の上端部に装備した前後の各支軸３３Ａを相対回動可能に枢支する第２ボス２９Ｃ，３０Ｃとが固着されている。
【００４２】
前後の各第１ボス２９Ｂ，３０Ｂは、それらの機体外方側の端部が機体内方側の端部よりも上方に位置する外上がり傾斜姿勢に設定され、又、前後の各第２ボス２９Ｃ，３０Ｃは、それらの機体内方側の端部が機体外方側の端部よりも上方に位置する内上がり傾斜姿勢に設定され、これによって、各第１ボス２９Ｂ，３０Ｂで支持される第１支持部材３２は、その下部側ほど機体外方側に位置する傾斜姿勢となり、又、各第１ボス２９Ｃ，３０Ｃで支持される第２支持部材３３は、その下部側ほど機体内方側に位置する傾斜姿勢となり、その結果、それらの各支持部材３２，３３で片持ち支持される各予備苗載置台２６，２７は、予備苗が載置される際には、それらの延出端側ほど上方に位置する傾斜姿勢となって、それらの延出端側が、載置した予備苗の重量や走行時の振動などで支持側よりも下方に変位することに起因した予備苗の脱落が阻止される。
【００４３】
前後の各支柱２９，３０は、前側の支柱２９のブラケット２９Ａと支持フレーム２１の第１ブラケット２１Ｄとを連結する左右向きの第１支軸３４の高さ位置が、後側の支柱３０のブラケット３０Ａと支持フレーム２１の第２ブラケット２１Ｅとを連結する左右向きの第２支軸３５の高さ位置よりも低くなるように、又、それらの各ボス２９Ｂ，２９Ｃ，３０Ｂ，３０Ｃと各支持部材３２，３３の前後の各支軸３２Ａ，３３Ａとの連結位置が同じ高さとなるように設定され、前後の各支柱２９，３０を起立させた予備苗載置機構２４の退避状態では、各予備苗載置台２６，２７が乗降ステップ２０に対する平行姿勢で上下方向に整列し、前後の各支柱２９，３０を前傾させた予備苗載置機構２４の移載状態では、各予備苗載置台２６，２７が乗降ステップ２０に対する後下がり傾斜姿勢で上下方向に整列するようになっている。
【００４４】
つまり、支持フレーム２１と前後の支柱２９，３０と支持部材３２，３３とから、予備苗載置機構２４の退避状態では各予備苗載置台２６，２７を乗降ステップ２０に対する平行姿勢に、予備苗載置機構２４の移載状態では各予備苗載置台２６，２７を乗降ステップ２０に対する乗降ステップ２０に対する後下がり傾斜姿勢に切り換える不等辺リンクが形成されている。
【００４５】
そして、以上の構成から、予備苗補給のために走行機体１の前端を予備苗移載作業箇所である畦に近接させた予備苗補給作業時には、左右の予備苗載置機構２４を退避状態から移載状態に切り換えると、各予備苗載置台２６，２７を、乗降ステップ２０に対する後下がり傾斜姿勢で上下方向に整列し、かつ、それぞれの高さ位置が低くなる状態で、走行機体１の前端から前方に張り出す移載位置に位置させることができ、その結果、畦から左右の各予備苗載置機構２４への予備苗補給時における各予備苗載置台２６，２７に対する予備苗の差し入れが一律に行い易くなる。
【００４６】
又、その予備苗補給作業後は、左右の予備苗載置機構２４を移載状態から退避状態に切り換えると、各予備苗載置台２６，２７を、乗降ステップ２０に対する平行姿勢で上下方向に整列し、かつ、それぞれの高さ位置が高くなる状態で、走行機体１の前端よりも後方の退避位置に位置させることができ、その結果、植え付け作業時には、予備苗を、安定性の高い乗降ステップ２０に対する平行姿勢で各予備苗載置台２６，２７に載置できる。
【００４７】
ところで、この予備苗載置機構２４の退避状態では、各予備苗載置台２６，２７から苗植付装置４の苗載台１８への予備苗供給が行われるのであるが、上記のように、この退避状態では各予備苗載置台２６，２７の高さ位置が高くなり、それによって、予備苗供給時における下側の予備苗載置台２６，２７から苗載台１８への予備苗の持ち上げ距離が短くなり、結果、下側の予備苗載置台２６，２７から苗載台１８への予備苗供給が行い易くなる。
【００４８】
更に、上述したように、各予備苗支持フレーム２５の機体横外方側と機体横内方側のそれぞれに複数の予備苗載置台２６，２７を配備したことで、各予備苗支持フレーム２５の支持部材３１を支柱２８よりも上方に延長して予備苗載置台２６，２７を装備しなくても、多数の予備苗を載置することができ、その結果、各予備苗支持フレーム２５の支持部材３１を上方に延長して予備苗載置台２６，２７を装備する場合に生じる、予備苗載置機構２４の重心が高くなることに起因した予備苗載置機構２４の操作性や機体の安定性の低下、上方の予備苗載置台２６，２７の高さ位置が高くなることに起因した上方の予備苗載置台２６，２７に対する予備苗移載作業性の低下などを招くことなく、予備苗補給のために植え付け作業を中断して機体を畦際まで移動させる回数を減らすことができ、植え付け作業効率の向上を図れるようになる。
【００４９】
その上、前側の支柱２９を、その上部側が前側の支柱２９よりも機体横外方側に立設される後側の支柱３０と機体左右方向で一致するように屈曲させたことで、後側の支柱３０を屈曲させる場合に比較して、左右の各予備苗載置機構２４を機体横外方側に寄せることができ、その結果、左右の乗降ステップ２０を利用した搭乗運転部１４に対する機体前方からの乗降が行い易くなる。
【００５０】
又、第２支持部材３３の着脱によって、左右の予備苗載置機構２４を、その機体横内方側に複数の予備苗載置台２７を配備して植え付け作業効率の向上を優先する仕様と、その機体横内方側には予備苗載置台２７を配備せずに左右の乗降ステップ２０を利用した搭乗運転部１４に対する機体前方からの乗降性の向上を優先する仕様とに簡単に仕様変更できる。
【００５１】
左右の各予備苗載置機構２４には、予備苗載置機構２４を移載状態から退避状態に向けて付勢するガススプリング３６が装備されており、このガススプリング３６によって、予備苗載置機構２４を退避状態から移載状態へ切り換える際の急激な揺動変位を防止でき、又、予備苗載置機構２４を移載状態から退避状態に切り換える際に要する操作力を軽減できる。
【００５２】
又、左右の各予備苗載置機構２４は、前側の支柱２９におけるブラケット２９Ａの前下端部が、対応する支持フレーム２１の第１ブラケット２１Ｄに接当することで、移載状態から前方への倒伏が阻止され、後側の支柱３０に装備したストッパ３０Ｄに第１支持部材３２が接当することで、退避状態から後方への倒伏が阻止される。
【００５３】
各予備苗載置台２６，２７は、予備苗の載置が可能な載置姿勢と対応する支持部材３２，３３に沿って起立した格納姿勢とに上下揺動による姿勢切り換えが可能であり、移動走行時や運搬車の荷台などに積載する場合には、機体横外方側の各予備苗載置台２６を格納姿勢に切り換えることで、機体横外方側の各予備苗載置台２６が他物に接触する虞を効果的に抑制でき、又、機体前方から乗降する場合には、機体横内方側の各予備苗載置台２７を格納姿勢に切り換えることで、左右の乗降ステップ２０を利用した搭乗運転部１４に対する機体前方からの乗降が更に行い易くなる。
【００５４】
図示は省略するが、各予備苗載置台２６，２７は、その支持側端部と支柱２９，３０との接当で載置姿勢に維持される。
【００５５】
図１〜５に示すように、左右の各予備苗載置機構２４には、それらを退避状態と移載状態とに固定するロック機構３７が装備され、各ロック機構３７は、後側の支柱３０のブラケット３０Ａに左右摺動可能に装備された係止ピン３８が、押しバネ３９の付勢によって、支持フレーム２１の第２ブラケット２１Ｅに穿設した第１係止孔２１ａに挿通されることで、対応する予備苗載置機構２４を退避状態で固定保持し、又、支持フレーム２１の第２ブラケット２１Ｅに穿設した第２係止孔２１ｂに挿通されることで、対応する予備苗載置機構２４を移載状態で固定保持するように構成されている。
【００５６】
つまり、左右の予備苗載置機構２４を退避状態又は移載状態に切り換えると、それらを対応するロック機構３７が押しバネ３９の付勢で自動的に退避状態又は移載状態に固定保持するように構成されており、その結果、各予備苗載置機構２４の退避状態又は移載状態での固定保持を容易に行えるとともに、各予備苗載置機構２４を退避状態に切り換えた走行時や苗載台１８に対する予備苗供給時、及び、予備苗載置機構２４を移載状態に切り換えた各予備苗載置台２６，２７に対する予備苗補給時に、予備苗載置機構２４が不測に変位して予備苗が落下するなどの不都合の発生を未然に回避できる。
【００５７】
左右の各予備苗載置機構２４において、後側の支柱３０の第１ボス３０Ｂには、後方に向けて延出する把手３０Ｅが装備されており、この把手３０Ｅを把持することで、搭乗運転部１４側からの各予備苗載置機構２４の退避状態と移載状態との切り換えを、後側の支柱３０と各支持部材３２，３３との間に手が挟まれる虞などを招くことなく容易に行える。
【００５８】
各把手３０Ｅには、対応するロック機構３７の係止ピン３８に連係機構４０を介して連係される操作レバー４１が、把手３０Ｅとの共握りが可能な状態に装備されており、この操作レバー４１と把手３０Ｅとを共握りして操作レバー４１を把手３０Ｅ側に操作することで、対応する係止ピン３８を、押しバネ３９の付勢に抗して第１係止孔２１ａ又は第２係止孔２１ｂから抜き出せるようになっている。
【００５９】
つまり、搭乗運転部１４側からの操作が行い易い高さ位置に配置された把手３０Ｅと操作レバー４１とを搭乗運転部１４側から共握りすることで、対応するロック機構３７による予備苗載置機構２４の退避状態又は移載状態での固定保持を簡単に解除できる。
【００６０】
そして、上記の構成から、ロック機構３７による予備苗載置機構２４の固定保持を解除して予備苗載置機構２４を退避状態又は移載状態に切り換えた後、その状態で予備苗載置機構２４を再びロック機構３７によって固定保持する、といった一連の切り換え操作を搭乗運転部１４側から容易に行える。
【００６１】
連係機構４０は、後側の支柱３０に装備された支持アーム３０Ｆの上部側に上下揺動可能に支持された第１揺動部材４２、支持アーム３０Ｆの下部側に左右揺動可能に支持された係止ピン操作用の第２揺動部材４３、操作レバー４１から第１揺動部材４２の遊端にわたる第１連係ロッド４４、及び、第１揺動部材４２の中間部から第２揺動部材４３にわたる第２連係ロッド４５、などを備えて構成されている。
【００６２】
左右の各予備苗載置機構２４において、第２支持部材３３には、前方に向けて延出するループ状の把持部３３Ｂが装備されており、これによって、予備苗補給によって予備苗載置機構２４が重くなり、田植機側の作業者による引っ張り操作で予備苗載置機構２４を移載状態から退避状態に切り換えることが困難になった場合には、その把持部３３Ｂを畦側の補助作業者が利用することで、その補助作業者による補助を簡単に得られるようになり、予備苗載置機構２４の移載状態から退避状態への切り換えをスムーズに行える。
【００６３】
又、第２支持部材３３に把持部３３Ｂを装備することで、予備苗載置機構２４の切り換え操作にかかわらず畦側の補助作業者に対する把持部３３Ｂの姿勢が一定に維持されることから、畦側の補助作業者による補助が行い易くなる。
【００６４】
図１に示すように、走行機体１の後部には、植え付け作業時に所定量の肥料を圃場に供給する施肥装置４７が搭載され、この施肥装置４７は、走行機体１の後部に支持された複数の繰出機構４８が、その上部に配備されたホッパー４９から所定量の肥料を繰り出し、その繰り出された肥料を、走行機体１の後部に配備したブロワ５０の作用で、対応する施肥ホース５１を介して各整地フロート１６に装備した複数の作溝器５２に向けて流動させ、各作溝器５２から圃場における植付苗の側方箇所に埋没供給するように構成されている。
【００６５】
図１、図２及び図６に示すように、エンジン６の上方には燃料タンク５３が配備され、それらを覆うボンネット５４の上部には、燃料タンク５３に対する給油時に開閉操作される蓋体５５が装備されている。
【００６６】
図６に示すように、ボンネット５４内の上部には、この田植機に装備した図外の各種センサなどの電装部品の作動チェックや出力チェックなどを行う電装部品メンテナンス用のパーソナルコンピュータ５６を接続するためのカプラ５７が、蓋体５５を開いた際に形成される開口５８から外部に臨む状態となるように配備されており、これによって、この田植機が圃場内に位置する場合などであっても、電装部品メンテナンス用のパーソナルコンピュータ５６を簡単に接続でき、そのパーソナルコンピュータ５６による電装部品のメンテナンスを搭乗運転部１４などから容易に行える。
【００６７】
〔別実施例〕
以下、本発明の別実施例を列記する。
〔１〕図７に示すように、左右の各予備苗載置機構２４において、予備苗支持フレーム２５を、前後方向に起伏揺動可能に立設される支柱２８としての前後の支柱２９，３０と、それらの上端部よりも上方に延出する延出部３１Ａを有する状態でそれらの上端部に枢支連結される単一の支持部材３１とを備えて構成し、予備苗支持フレーム２５の機体横外方側に配置される複数の予備苗載置台２６を支持部材３１の上下にわたって並設し、予備苗支持フレーム２５の機体横内方側に配置される複数の予備苗載置台２７を、支持部材３１における前後の支柱２９，３０との枢支連結点よりも上方に位置する延出部３１Ａにのみ並設することで、搭乗運転部１４に対する機体前方からの乗降を可能にする乗降領域５９をより広く確保しながらも多数の予備苗を載置できるようにして、機体前方からの乗降性と植え付け作業効率の双方を向上させるようにしてもよい。
【００６８】
尚、図示は省略するが、機体横外方側の予備苗載置台２６を、支持部材３１における前後の支柱２９，３０との枢支連結点よりも下方側のみに並設するようにしてもよい。
【００６９】
〔２〕機体横内方側の予備苗載置台２７を支持する第２支持部材３３を、前後の支柱２９，３０に、その上方に向けて延出する状態に枢支連結することで、搭乗運転部１４に対する機体前方からの乗降を可能にする乗降領域５９をより広く確保しながらも多数の予備苗を載置できるようにして、機体前方からの乗降性と植え付け作業効率の双方を向上させるようにしてもよい。
【００７０】
〔３〕予備苗載置機構２４の退避状態や移載状態での各予備苗載置台２６，２７の姿勢は種々の変更が可能であり、例えば、支持フレーム２１と前後の支柱２９，３０と支持部材３２，３３とから平行四連リンクを形成して、予備苗載置機構２４の退避状態と移載状態のいずれにおいても各予備苗載置台２６，２７が乗降ステップ２０に対する平行姿勢に維持されるように構成してもよい。
【００７１】
〔４〕前後の各支柱２９，３０の上端部に、第１ボス２９Ｂ，３０Ｂと第２ボス２９Ｃ，３０Ｃのいずれか一方のみを装備し、その一方のボスに、第１支持部材３２と第２支持部材３３の双方を支持させるように構成してもよい。
【００７２】
〔５〕予備苗支持フレーム２５を、前後方向に起伏揺動可能に立設される単一の支柱２８と、その上端部に枢支連結されるとともに複数の予備苗載置台２６，２７を支持する単一の支持部材３１とを備えて構成してもよく、又、前後方向に起伏揺動可能に立設される単一の支柱２８と、機体横外方側の複数の予備苗載置台２６を支持する第１支持部材３２と、機体横内方側の複数の予備苗載置台２７を支持する第２支持部材３３とを備えて構成してもよい。
【００７３】
〔６〕支柱２８を後方に向けて傾斜させた状態を予備苗載置機構２４の退避状態に、支柱２８を起立させた状態を予備苗載置機構２４の移載状態に設定してもよい。
【００７４】
〔７〕予備苗載置機構２４の退避状態と移載状態との切り換えを、予備苗支持フレーム２５の前後摺動操作で行うように構成してもよい。
【００７５】
〔８〕予備苗載置機構２４に装備する機体横外方側の予備苗載置台２６と機体横内方側の予備苗載置台２７の数量は種々の変更が可能である。
【００７６】
〔９〕予備苗載置機構２４を、予備苗支持フレーム２５の前後移動で、機体横外方側の複数の予備苗載置台２６と機体横内方側の複数の予備苗載置台２７とがそれぞれ上下方向に整列した状態で走行機体１上の所定の退避位置に位置する退避状態と、機体横外方側の複数の予備苗載置台２６と機体横内方側の複数の予備苗載置台２７とがそれぞれ上下方向に整列した状態で退避位置よりも機体前方側の予備苗移載作業箇所に近い移載位置に位置する第１移載状態と、機体横外方側の複数の予備苗載置台２６と機体横内方側の複数の予備苗載置台２７とがそれぞれ上下方向に整列した状態で退避位置よりも機体後方側の予備苗移載作業箇所に近い移載位置に位置する第２移載状態との３状態に切り換え可能に構成して、各予備苗載置台２６，２７から苗植付装置４の苗載台１８への予備苗供給作業をより行い易くしてもよい。
【００７７】
〔１０〕前側の支柱２８又は第１支持部材３２に、機体前方に向けて延出する把持部３３Ｂを装備するようにしてもよい。
【００７８】
〔１１〕機体前方に向けて延出する左右の各把持部３３Ｂにも、対応するロック機構３７の係止ピン３８に連係される操作レバー４１を、把持部３３Ｂとの共握りが可能な状態に装備して、機体前方側の予備苗移載作業箇所からでも、ロック機構３７による予備苗載置機構２４の退避状態又は移載状態での固定保持を簡単に解除できるようにしてもよい。
【００７９】
〔１２〕把持部３３Ｂの形状としては種々の変更が可能である。
【図面の簡単な説明】
【００８０】
【図１】乗用型田植機の全体側面図
【図２】予備苗載置機構の正面図
【図３】予備苗載置機構の退避状態を示す要部の側面図
【図４】予備苗載置機構の移載状態を示す要部の側面図
【図５】ロック機構の構成を示す図
【図６】ボンネット内の構成を示す要部の縦断側面図
【図７】予備苗載置機構の別実施形態を示す要部の正面図
【符号の説明】
【００８１】
１    走行機体
２４  予備苗載置機構
２５  予備苗支持フレーム
２６  予備苗載置台機体横外方側
２７  予備苗載置台機体横内方側
２８  支柱
３１  支持部材
３２  第１支持部材
３３  第２支持部材
３３Ｂ  把持部
【図１】
2005151903.tif 000003
【図２】
2005151903.tif 000004
【図３】
2005151903.tif 000005
【図４】
2005151903.tif 000006
【図５】
2005151903.tif 000007
【図６】
2005151903.tif 000008
【図７】
2005151903.tif 000009